(57)【要約】【課題】  小型かつ高解像力で、全ズーム領域において高い光学性能を有するズームレンズ及びそれを有する撮像装置を得ること。【解決手段】  負の屈折力を有し、フォーカシングに際して移動するフォーカスレンズ群を有し、ズーミングおよびフォーカシングの少なくとも一方のために隣り合うレンズ群の間隔が変化するズームレンズであって、前記フォーカスレンズ群の像側に隣接して、正の屈折力を有する正レンズ群を有し、該正レンズ群はズーミングに際して移動する。前記フォーカスレンズ群は、物体側より像側へ順に、正レンズ、負レンズを含む。該ズームレンズにおいて、前記フォーカスレンズ群に含まれる正レンズの像側のレンズ面の曲率半径ＲＦ、前記フォーカスレンズ群に含まれる負レンズの物体側のレンズ面の曲率半径ＲＲを各々適切に設定する。【選択図】  図１
2015145914.tif 000002
【特許請求の範囲】
【請求項１】
負の屈折力を有し、フォーカシングに際して移動するフォーカスレンズ群を備え、ズーミングおよびフォーカシングの少なくとも一方のために隣り合うレンズ群の間隔が変化するズームレンズであって、
前記フォーカスレンズ群の像側に隣接して、正の屈折力を有する正レンズ群を有し、該正レンズ群はズーミングに際して移動し、
前記フォーカスレンズ群は、物体側より像側へ順に、正レンズ、負レンズを含み、
前記フォーカスレンズ群に含まれる正レンズの像側のレンズ面の曲率半径をＲＦ、前記フォーカスレンズ群に含まれる負レンズの物体側のレンズ面の曲率半径をＲＲとしたとき、
０．５０＜（ＲＦ−ＲＲ）／（ＲＦ＋ＲＲ）＜２００．００
なる条件式を満足することを特徴とするズームレンズ。
【請求項２】
前記正レンズ群と、前記フォーカスレンズ群の広角端における光軸上の間隔をＤｒｗ、前記フォーカスレンズ群の物体側に隣接して配置されたレンズ群と、前記フォーカスレンズ群の広角端における光軸上の間隔をＤｆｗ、前記正レンズ群と、前記フォーカスレンズ群の望遠端における光軸上の間隔をＤｒｔ、前記フォーカスレンズ群の物体側に隣接して配置されたレンズ群と、前記フォーカスレンズ群の望遠端における光軸上の間隔をＤｆｔとしたとき、
０．００＜（Ｄｒｔ−Ｄｆｔ）／（Ｄｒｗ−Ｄｆｗ）＜８５．００
なる条件式を満足することを特徴とする請求項１に記載のズームレンズ。
【請求項３】
前記フォーカスレンズ群の物体側に隣接して配置されたレンズ群の中で最も像側のレンズ面の曲率半径をＲａ、前記フォーカスレンズ群の中で最も物体側のレンズ面の曲率半径をＲｂとしたとき、
−５０．０＜（Ｒａ−Ｒｂ）／（Ｒａ＋Ｒｂ）＜１２０．０
なる条件式を満足することを特徴とする請求項１または２に記載のズームレンズ。
【請求項４】
前記フォーカスレンズ群の中で最も像側のレンズ面の曲率半径をＲｃ、前記正レンズ群の物体側のレンズ面の曲率半径をＲｄとしたとき、
−０．３０＜（Ｒｃ−Ｒｄ）／（Ｒｃ＋Ｒｄ）＜２．５０
なる条件式を満足することを特徴とする請求項１乃至３のいずれか１項に記載のズームレンズ。
【請求項５】
前記フォーカスレンズ群に含まれる正レンズの焦点距離をｆｎｐ、前記フォーカスレンズ群に含まれる負レンズの焦点距離をｆｎｎとしたとき、
−２１．０＜ｆｎｐ／ｆｎｎ＜−２．５
なる条件式を満足することを特徴とする請求項１乃至４のいずれか１項に記載のズームレンズ。
【請求項６】
前記正レンズ群と、前記フォーカスレンズ群の望遠端における光軸上の間隔をＤｒｔ、前記フォーカスレンズ群の物体側に隣接して配置されたレンズ群と、前記フォーカスレンズ群の望遠端における光軸上の間隔をＤｆｔとしたとき、
０．１０＜Ｄｆｔ／Ｄｒｔ＜１．８０
なる条件式を満足することを特徴とする請求項１乃至５のいずれか１項に記載のズームレンズ。
【請求項７】
前記正レンズ群と、前記フォーカスレンズ群の広角端における光軸上の間隔をＤｒｗ、前記フォーカスレンズ群の物体側に隣接して配置されたレンズ群と、前記フォーカスレンズ群の広角端における光軸上の間隔をＤｆｗとしたとき、
０．１０＜Ｄｆｗ／Ｄｒｗ＜２．６０
なる条件式を満足することを特徴とする請求項１乃至６のいずれか１項に記載のズームレンズ。
【請求項８】
前記フォーカスレンズ群に含まれる正レンズの像側のレンズ面と前記フォーカスレンズ群に含まれる負レンズの物体側のレンズ面により形成される空気レンズの焦点距離をｆａｉｒ、前記フォーカスレンズ群の焦点距離をｆｎとしたとき、
０．３０＜ｆａｉｒ／ｆｎ＜２．３０
なる条件式を満足することを特徴とする請求項１乃至７のいずれか１項に記載のズームレンズ。
【請求項９】
前記正レンズ群の焦点距離をｆｐ、前記フォーカスレンズ群の焦点距離をｆｎとしたとき、
−４．２０＜ｆｐ／ｆｎ＜−０．５０
なる条件式を満足することを特徴とする請求項１乃至８のいずれか１項に記載のズームレンズ。
【請求項１０】
前記フォーカスレンズ群よりも物体側に開口絞りを有することを特徴とする請求項１乃至９のいずれか１項に記載のズームレンズ。
【請求項１１】
物体側より像側へ順に、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より成り、前記第５レンズ群が前記フォーカスレンズ群であることを特徴とする請求項１乃至１０のいずれか１項に記載のズームレンズ。
【請求項１２】
物体側より像側へ順に、正の屈折力の第１レンズ群、負の屈折力の第２レンズ群、正の屈折力の第３レンズ群、負の屈折力の第４レンズ群、正の屈折力の第５レンズ群より成り、前記第４レンズ群が前記フォーカスレンズ群であることを特徴とする請求項１乃至１０のいずれか１項に記載のズームレンズ。
【請求項１３】
物体側より像側へ順に、負の屈折力の第１レンズ群、正の屈折力の第２レンズ群、負の屈折力の第３レンズ群、正の屈折力の第４レンズ群より成り、前記第３レンズ群が前記フォーカスレンズ群であることを特徴とする請求項１乃至１０のいずれか１項に記載のズームレンズ。
【請求項１４】
物体側より像側へ順に、負の屈折力の第１レンズ群、正の屈折力の第２レンズ群、正の屈折力の第３レンズ群、負の屈折力の第４レンズ群、正の屈折力の第５レンズ群より成り、前記第４レンズ群が前記フォーカスレンズ群であることを特徴とする請求項１乃至１０のいずれか１項に記載のズームレンズ。
【請求項１５】
物体側より像側へ順に、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より成り、前記第５レンズ群が前記フォーカスレンズ群であることを特徴とする請求項１乃至１０のいずれか１項に記載のズームレンズ。
【請求項１６】
物体側より像側へ順に、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群、正の屈折力の第７レンズ群より成り、前記第６レンズ群が前記フォーカスレンズ群であることを特徴とする請求項１乃至１０のいずれか１項に記載のズームレンズ。
【請求項１７】
物体側より像側へ順に、負の屈折力の第１レンズ群、正の屈折力の第２レンズ群、負の屈折力の第３レンズ群、負の屈折力の第４レンズ群、正の屈折力の第５レンズ群より成り、前記第４レンズ群が前記フォーカスレンズ群であることを特徴とする請求項１乃至１０のいずれか１項に記載のズームレンズ。
【請求項１８】
物体側より像側へ順に、負の屈折力の第１レンズ群、正の屈折力の第２レンズ群、正の屈折力の第３レンズ群、負の屈折力の第４レンズ群、負の屈折力の第５レンズ群、正の屈折力の第６レンズ群より成り、前記第５レンズ群が前記フォーカスレンズ群であることを特徴とする請求項１乃至１０のいずれか１項に記載のズームレンズ。
【請求項１９】
固体撮像素子に像を形成することを特徴とする請求項１乃至１８のいずれか１項に記載のズームレンズ。
【請求項２０】
請求項１乃至１９のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、レンズ全長が短く、高解像力であることが求められている。
【０００３】
特許文献１に記載のズームレンズは、フォーカシングに際して、開口絞りの像側に配置された複数のレンズ群が移動する。複数のレンズ群でフォーカシングを行うことにより、各フォーカスレンズ群の屈折力を比較的弱くすることができる。
【先行技術文献】
【特許文献】
【０００４】
【特許文献１】特開２０１２−４７８１４号公報
【発明の概要】
【発明が解決しようとする課題】
【０００５】
一般に、高解像力の撮影光学系を得るためには、撮影光学系においてフォーカスレンズ群の構成を適切に設定することが重要である。
【０００６】
特許文献１に記載のズームレンズは、フォーカスレンズ群の構成が適切であるとはいえないため、フォーカシングに伴う収差変動の発生を良好に抑制することが困難である。
【０００７】
本発明は、小型かつ高解像力で、全ズーム領域において高い光学性能を有するズームレンズを及びそれを有する撮像装置を提供することを目的とする。
【課題を解決するための手段】
【０００８】
本発明のズームレンズは、負の屈折力を有し、フォーカシングに際して移動するフォーカスレンズ群を有し、ズーミングおよびフォーカシングの少なくとも一方のために隣り合うレンズ群の間隔が変化するズームレンズであって、前記フォーカスレンズ群の像側に隣接して正の屈折力を有する正レンズ群を有し、該正レンズ群はズーミングに際して移動し、前記フォーカスレンズ群は、物体側より像側へ順に、正レンズ、負レンズを含み、前記フォーカスレンズ群に含まれる正レンズの像側のレンズ面の曲率半径をＲＦ、前記フォーカスレンズ群に含まれる負レンズの物体側のレンズ面の曲率半径をＲＲとしたとき、
０．５０＜（ＲＦ−ＲＲ）／（ＲＦ＋ＲＲ）＜２００．００
なる条件式を満足することを特徴としている。
【発明の効果】
【０００９】
本発明によれば、小型かつ高解像力で、全ズーム領域において高い光学性能を有するズームレンズが得られる。
【図面の簡単な説明】
【００１０】
【図１】本発明の実施例１のズームレンズの広角端におけるレンズ断面図
【図２】（Ａ）、（Ｂ）、（Ｃ）本発明の実施例１のズームレンズの広角端、中間のズーム位置、望遠端における収差図
【図３】本発明の実施例２のズームレンズの広角端におけるレンズ断面図
【図４】（Ａ）、（Ｂ）、（Ｃ）本発明の実施例２のズームレンズの広角端、中間のズーム位置、望遠端における収差図
【図５】本発明の実施例３のズームレンズの広角端におけるレンズ断面図
【図６】（Ａ）、（Ｂ）、（Ｃ）本発明の実施例３のズームレンズの広角端、中間のズーム位置、望遠端における収差図
【図７】本発明の実施例４のズームレンズの広角端におけるレンズ断面図
【図８】（Ａ）、（Ｂ）、（Ｃ）本発明の実施例４のズームレンズの広角端、中間のズーム位置、望遠端における収差図
【図９】本発明の実施例５のズームレンズの広角端におけるレンズ断面図
【図１０】（Ａ）、（Ｂ）、（Ｃ）本発明の実施例５のズームレンズの広角端、中間のズーム位置、望遠端における収差図
【図１１】本発明の実施例６のズームレンズの広角端におけるレンズ断面図
【図１２】（Ａ）、（Ｂ）、（Ｃ）本発明の実施例６のズームレンズの広角端、中間のズーム位置、望遠端における収差図
【図１３】本発明の実施例７のズームレンズの広角端におけるレンズ断面図
【図１４】（Ａ）、（Ｂ）、（Ｃ）本発明の実施例７のズームレンズの広角端、中間のズーム位置、望遠端における収差図
【図１５】本発明の実施例８のズームレンズの広角端におけるレンズ断面図
【図１６】（Ａ）、（Ｂ）、（Ｃ）本発明の実施例８のズームレンズの広角端、中間のズーム位置、望遠端における収差図
【図１７】本発明の実施例９のズームレンズの広角端におけるレンズ断面図
【図１８】（Ａ）、（Ｂ）、（Ｃ）本発明の実施例９のズームレンズの広角端、中間のズーム位置、望遠端における収差図
【図１９】本発明の実施例１０のズームレンズの広角端におけるレンズ断面図
【図２０】（Ａ）、（Ｂ）、（Ｃ）本発明の実施例１０のズームレンズの広角端、中間のズーム位置、望遠端における収差図
【図２１】本発明の撮像装置の要部概略図
【発明を実施するための形態】
【００１１】
以下、本発明のズームレンズ及びそれを有する撮像装置について添付の図面に基づいて詳細に説明する。本発明のズームレンズは、フォーカシングに際して移動し、負の屈折力を有するフォーカスレンズ群を備える。また、フォーカスレンズ群の像側に隣接して、ズーミングに際して移動する正レンズ群（正の屈折力を有するレンズ群）が配置されている。ここで、レンズ群は、ズーミングおよびフォーカシングの少なくとも一方のために一体的に移動するレンズ要素であり、１枚以上のレンズを有していればよく、必ずしも複数枚のレンズを有していなくてもよい。また、ズーミングおよびフォーカシングの少なくとも一方のために、隣り合うレンズ群の間隔が変化する。
【００１２】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比４．７２、開口比２．０６〜４．０２程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４．７３、開口比２．０６〜４．０２程度のズームレンズである。
【００１３】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４．７３、開口比２．０６〜４．０２程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比４．７３、開口比２．０６〜４．０２程度のズームレンズである。
【００１４】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比３．７７、開口比２．８０〜５．００程度のズームレンズである。図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比３．７６、開口比２．８０〜５．００程度のズームレンズである。
【００１５】
図１３は実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比４．７３、開口比２．０６〜４．０２程度のズームレンズである。図１５は実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。実施例８はズーム比４．７３、開口比２．０６〜４．００程度のズームレンズである。
【００１６】
図１７は実施例９のズームレンズの広角端におけるレンズ断面図である。図１８（Ａ）、（Ｂ）、（Ｃ）はそれぞれ実施例９のズームレンズの広角端、中間のズーム位置、望遠端における収差図である。実施例９はズーム比３．７６、開口比２．８０〜５．００程度のズームレンズである。図１９は実施例１０のズームレンズの広角端におけるレンズ断面図である。図２０（Ａ）、（Ｂ）、（Ｃ）はそれぞれ実施例１０のズームレンズの広角端、中間のズーム位置、望遠端における収差図である。実施例１０はズーム比３．７８、開口比２．８０〜５．００程度のズームレンズである。
【００１７】
図２１は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。レンズ断面図において左方が物体側（前方）で、右方が像側（後方）である。またレンズ断面図において、ｉを物体側から像側へのレンズ群の順番とするとＢｉは第ｉレンズ群を示す。
【００１８】
実施例１乃至３のズームレンズは、６つのレンズ群から成るポジティブリード型の６群ズームレンズである。物体側より像側へ順に、正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５、正の屈折力の第６レンズ群Ｂ６から成る。実施例４のズームレンズは、５つのレンズ群から成るポジティブリード型の５群ズームレンズである。物体側より像側へ順に、正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５から成る。
【００１９】
実施例５のズームレンズは、４つのレンズ群から成るネガティブリード型の４群ズームレンズである。物体側より像側へ順に、負の屈折力の第１レンズ群Ｂ１、正の屈折力の第２レンズ群Ｂ２、負の屈折力の第３レンズ群Ｂ３、正の屈折力の第４レンズ群Ｂ４から成る。実施例６のズームレンズは、５つのレンズ群から成るネガティブリード型の５群ズームレンズである。物体側より像側へ順に、負の屈折力の第１レンズ群Ｂ１、正の屈折力の第２レンズ群Ｂ２、正の屈折力の第３レンズ群Ｂ３、負の屈折力の第４レンズ群Ｂ４、正の屈折力の第５レンズ群Ｂ５から成る。
【００２０】
実施例７のズームレンズは、６つのレンズ群から成るポジティブリード型の６群ズームレンズである。物体側より像側へ順に、正の屈折力の第１レンズ群Ｂ１、負の屈折力の第２レンズ群Ｂ２、正の屈折力の第３レンズ群Ｂ３、負の屈折力の第４レンズ群Ｂ４、負の屈折力の第５レンズ群Ｂ５、正の屈折力の第６レンズ群Ｂ６から成る。実施例８のズームレンズは、７つのレンズ群から成るポジティブリード型の７群ズームレンズである。物体側より像側へ順に正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５、負の屈折力の第６レンズ群Ｂ６、正の屈折力の第７レンズ群Ｂ７から成る。
【００２１】
実施例９のズームレンズは、５つのレンズ群から成るネガティブリード型の５群ズームレンズである。物体側より像側へ順に、負の屈折力の第１レンズ群Ｂ１、正の屈折力の第２レンズ群Ｂ２、負の屈折力の第３レンズ群Ｂ３、負の屈折力の第４レンズ群Ｂ４、正の屈折力の第５レンズ群Ｂ５から成る。実施例１０のズームレンズは、６つのレンズ群から成るネガティブリード型の６群ズームレンズである。物体側より像側へ順に、負の屈折力の第１レンズ群Ｂ１、正の屈折力の第２レンズ群Ｂ２、正の屈折力の第３レンズ群Ｂ３、負の屈折力の第４レンズ群Ｂ４、負の屈折力の第５レンズ群Ｂ５、正の屈折力の第６レンズ群Ｂ６から成る。
【００２２】
各実施例において、ＳＰは開口絞りであり、フォーカスレンズ群よりも物体側に位置している。これにより、前玉の有効径を増大させることなく大口径化を実現することができる。
【００２３】
ＧＢは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２４】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。倍率色収差図ではｇ線における倍率色収差を示している。ωは撮像半画角である。
【００２５】
また、各実施例では、広角端から望遠端へのズーミングに際して各レンズ群が移動する。レンズ断面図中の矢印は、広角端から望遠端へのズーミングに伴う、各レンズ群の移動軌跡を示している。
【００２６】
実施例１乃至４、７、８は第１レンズ群Ｂ１が正の屈折力を有する、ポジティブリード型のズームレンズである。以下に、実施例１乃至４、７、８のズームレンズの移動軌跡について記載する。
【００２７】
具体的には、実施例１乃至４、７、８のズームレンズでは、広角端から望遠端へのズーミングに際して、第１レンズ群Ｂ１及び第２レンズ群Ｂ２は、像側へ凸状の軌跡を描くように移動する。第３レンズ群Ｂ３から第６レンズ群Ｂ６は、それぞれ物体側へ移動する。さらに、実施例８のズームレンズでは、第７レンズ群Ｂ７が物体側へ移動する。
【００２８】
次に、実施例５、６、９、１０のズームレンズの各レンズ群の移動軌跡について説明する。実施例５、６、９、１０は第１レンズ群Ｂ１が負の屈折力を有する、ネガティブリード型のズームレンズである。
【００２９】
具体的には、実施例５、６、９、１０のズームレンズでは、広角端から望遠端へのズーミングに際して、第１レンズ群Ｂ１は、像側へ凸状の軌跡を描くように移動する。第２レンズ群Ｂ２から第４レンズ群Ｂ４は、それぞれ物体側へ移動する。さらに、実施例６、９のズームレンズでは、第５レンズ群Ｂ５が物体側へ移動する。さらに、実施例１０のズームレンズでは、第５レンズ群Ｂ５及び第６レンズ群Ｂ６が物体側へ移動する。
【００３０】
また、実施例１乃至３、７、１０では、第５レンズ群Ｂ５をフォーカスレンズ群としている。望遠端において無限遠物体から近距離物体へフォーカスを行う場合には、レンズ断面図の矢印５ｃに示すように、第５レンズ群Ｂ５を像側に移動させる。レンズ断面図中の実線５ａと点線５ｂは各々、無限遠物体と近距離物体にフォーカスしているときの、広角端から望遠端へのズーミングに伴う像面変動を補正するための移動軌跡を示している。
【００３１】
実施例４、６、９では、第４レンズ群Ｂ４をフォーカスレンズ群としている。望遠端において無限遠物体から近距離物体へフォーカスを行う場合には、レンズ断面図の矢印４ｃに示すように、第４レンズ群Ｂ４を像側に移動させる。レンズ断面図中の実線４ａと点線４ｂは各々、無限遠物体と近距離物体にフォーカスしているときの、広角端から望遠端へのズーミングに伴う像面変動を補正するための移動軌跡を示している。
【００３２】
実施例５では、第３レンズ群Ｂ３をフォーカスレンズ群としている。望遠端において無限遠物体から近距離物体へフォーカスを行う場合には、レンズ断面図の矢印３ｃに示すように、第３レンズ群Ｂ３を像側に移動させる。レンズ断面図中の実線３ａと点線３ｂは各々、無限遠物体と近距離物体にフォーカスしているときの、広角端から望遠端へのズーミングに伴う像面変動を補正するための移動軌跡を示している。
【００３３】
実施例８では、第６レンズ群Ｂ６をフォーカスレンズ群としている。望遠端において無限遠物体から近距離物体へフォーカスを行う場合には、レンズ断面図の矢印６ｃに示すように、第６レンズ群Ｂ６を像側に移動させる。レンズ断面図中の実線６ａと点線６ｂは各々、無限遠物体と近距離物体にフォーカスしているときの、広角端から望遠端へのズーミングに伴う像面変動を補正するための移動軌跡を示している。
【００３４】
各実施例において、屈折力が比較的強いレンズ群を移動させてフォーカスを行うことで、無限遠物体から近距離物体へフォーカスを行う場合のフォーカスレンズ群の移動量を小さくすることができる。これにより、レンズ全長を短縮することができる。
【００３５】
各実施例において、フォーカスレンズ群に含まれる正レンズの像側のレンズ面の曲率半径をＲＦ、フォーカスレンズ群に含まれる負レンズの物体側のレンズ面の曲率半径をＲＲとしたとき、
０．５０＜（ＲＦ−ＲＲ）／（ＲＦ＋ＲＲ）＜２００．００…（１）
なる条件式を満足している。
【００３６】
各実施例のズームレンズでは、歪曲収差の発生を許容することにより、開口絞りＳＰより物体側に配置されるレンズの枚数を減らしながら、球面収差を良好に補正している。これにより、前玉径の小型化を実現することができる。一方、歪曲収差の発生を過度に許容すると、フォーカシングにおける像面湾曲の変動を十分に補正することが困難になる。また、各実施例では、フォーカシングにおける非点収差の変動方向と球面収差の変動方向をそろえて、画面中心の合焦位置と画面周辺の合焦位置を近づけることにより、像面湾曲を良好に補正している。例えば、球面収差がアンダー方向に発生するときには、非点収差もアンダー方向に発生させるような構成とする。また、球面収差がオーバー方向に発生するときには、非点収差もオーバー方向に発生させるような構成とする。各実施例において、フォーカスレンズ群に含まれる負レンズの物体側のレンズ面の曲率半径を短くすることにより、フォーカス敏感度を適切に設定することができる。これにより、非点収差の変動方向と球面収差の変動方向をそろえることができる。
【００３７】
条件式（１）の上限を超えると、全ズーム領域において、球面収差の変動方向と非点収差の変動方向をそろえることが困難になる。結果として、像面湾曲を良好に補正することが困難になるため、好ましくない。
【００３８】
条件式（１）の下限を超えると、全ズーム領域において、近接撮影におけるフォーカシングに伴う球面収差の変動量が増大する。結果として、近接撮影における球面収差を十分に補正することが困難になるため、好ましくない。
【００３９】
各実施例では上記の如く、条件式（１）を満足するように各要素を適切に設定している。これにより小型かつ高解像力で、全ズーム領域において高い光学性能を有するズームレンズを得ることができる。
【００４０】
なお、各実施例において、好ましくは条件式（１）の数値範囲を次のようにするのがよい。
０．６５＜（ＲＦ−ＲＲ）／（ＲＦ＋ＲＲ）＜１５０．００…（１ａ）
【００４１】
また、更に好ましくは条件式（１）の数値範囲を次の如く設定するのが良い。
０．９０＜（ＲＦ−ＲＲ）／（ＲＦ＋ＲＲ）＜１２５．００…（１ｂ）
【００４２】
さらに、各実施例において、次の条件式のうち１つ以上を満足することがより好ましい。ここで、フォーカスレンズ群と、フォーカスレンズ群の像側に隣接して配置された正レンズ群の、望遠端における光軸上の間隔をＤｒｔとする。フォーカスレンズ群の物体側に隣接して配置されたレンズ群と、フォーカスレンズ群の、望遠端における光軸上の間隔をＤｆｔとする。フォーカスレンズ群の像側に隣接して配置された正レンズ群と、フォーカスレンズ群の、広角端における光軸上の間隔をＤｒｗとする。フォーカスレンズ群の物体側に隣接して配置されたレンズ群と、フォーカスレンズ群の、広角端における光軸上の間隔をＤｆｗとする。フォーカスレンズ群の物体側に隣接して配置されたレンズ群の中で最も像側のレンズ面の曲率半径をＲａ、フォーカスレンズ群の中で最も物体側のレンズ面の曲率半径をＲｂとする。ここで、レンズ群とレンズ群の光軸上の間隔は、２つのレンズ群のうち物体側に位置するレンズ群の中で最も像側のレンズ面から、２つのレンズ群のうち像側に位置するレンズ群の中で最も物体側のレンズ面までの光軸上の間隔を示す。
【００４３】
フォーカスレンズ群の中で最も像側のレンズ面の曲率半径をＲｃ、フォーカスレンズ群の像側に隣接して配置されたレンズ群の中で最も物体側のレンズ面の曲率半径をＲｄとする。フォーカスレンズ群に含まれる正レンズの焦点距離をｆｎｐ、フォーカスレンズ群に含まれる負レンズの焦点距離をｆｎｎとする。フォーカスレンズ群に含まれる正レンズの像側のレンズ面と、フォーカスレンズ群に含まれる負レンズの物体側のレンズ面により形成される空気レンズの焦点距離をｆａｉｒとする。さらに、フォーカスレンズ群の焦点距離をｆｎ、フォーカスレンズ群の像側に隣接して配置された正レンズ群の焦点距離をｆｐとしたとき、
０．００＜（Ｄｒｔ−Ｄｆｔ）／（Ｄｒｗ−Ｄｆｗ）＜８５．００…（２）
−５０．０＜（Ｒａ−Ｒｂ）／（Ｒａ＋Ｒｂ）＜１２０．０      …（３）
−０．３０＜（Ｒｃ−Ｒｄ）／（Ｒｃ＋Ｒｄ）＜２．５０        …（４）
−２１．０＜ｆｎｐ／ｆｎｎ＜−２．５                        …（５）
０．１０＜Ｄｆｔ／Ｄｒｔ＜１．８０                          …（６）
０．１０＜Ｄｆｗ／Ｄｒｗ＜２．６０                          …（７）
０．３０＜ｆａｉｒ／ｆｎ＜２．３０                          …（８）
−４．２０＜ｆｐ／ｆｎ＜−０．５０                          …（９）
なる条件式のうち１つ以上を満足するのがよい。
【００４４】
条件式（２）の上限を超えると、望遠端においてフォーカスレンズ群の物体側への移動量が大きくなり、望遠端におけるレンズ全長が増大するため、好ましくない。条件式（２）の下限を超えると、望遠端においてフォーカスレンズ群の像側への移動量が大きくなり、特に望遠端での近接撮影において、フォーカスレンズ群の可動範囲が限定されるため、好ましくない。
【００４５】
条件式（３）の上限を超えると、フォーカスレンズ群の物体側に隣接して配置されたレンズ群と、フォーカスレンズ群により形成される空気レンズの屈折力が弱くなりすぎる。結果として、全ズーム領域において像面湾曲や非点収差を十分に補正することが困難になるため、好ましくない。条件式（３）の下限を超えると、フォーカスレンズ群の物体側に隣接して配置されたレンズ群と、フォーカスレンズ群により形成される空気レンズの屈折力が強くなりすぎる。結果として、望遠端における像面湾曲を十分に補正することが困難になるため、好ましくない。
【００４６】
条件式（４）の上限を超えると、フォーカスレンズ群の像側に隣接して配置された正レンズ群と、フォーカスレンズ群により形成される空気レンズの屈折力が弱くなりすぎる。結果として、広角端における像面湾曲を十分に補正することが困難になるため、好ましくない。条件式（４）の下限を超えると、フォーカスレンズ群の像側に隣接して配置された正レンズ群と、フォーカスレンズ群により形成される空気レンズの屈折力が強くなりすぎる。結果として、望遠端におけるコマ収差や倍率色収差を十分に補正することが困難になるため、好ましくない。
【００４７】
条件式（５）の上限を超えると、フォーカスレンズ群に含まれる正レンズの屈折力が強くなる。結果として、全ズーム領域において像面湾曲を十分に補正することが困難になるため、好ましくない。条件式（５）の下限を超えると、フォーカスレンズ群に含まれる負レンズの屈折力が強くなる。結果として、全ズーム領域においてコマ収差や倍率色収差を十分に補正することが困難になるため、好ましくない。
【００４８】
条件式（６）の上限を超えると、フォーカスレンズ群の像側に隣接して配置された正レンズ群と、フォーカスレンズ群の望遠端における光軸上の間隔が小さくなる。結果として、望遠端におけるコマ収差や倍率色収差を十分に補正することが困難になるため、好ましくない。条件式（６）の下限を超えると、フォーカスレンズ群の像側に隣接して配置された正レンズ群と、フォーカスレンズ群の望遠端における光軸上の間隔が大きくなる。結果として、望遠端におけるレンズ全長が増大するため、好ましくない。
【００４９】
条件式（７）の上限を超えると、フォーカスレンズ群の物体側に隣接して配置されたレンズ群と、フォーカスレンズ群の広角端における光軸上の間隔が大きくなる。結果として、広角端における像面湾曲を十分に補正することが困難になるため、好ましくない。条件式（７）の下限を超えると、フォーカスレンズ群の像側に隣接して配置された正レンズ群と、フォーカスレンズ群の広角端における光軸上の間隔が大きくなる。結果として、広角端におけるコマ収差を十分に補正することが困難になるため、好ましくない。
【００５０】
条件式（８）の上限を超えると、フォーカスレンズ群に含まれる正レンズの像側のレンズ面と、フォーカスレンズ群に含まれる負レンズの物体側のレンズ面により形成される空気レンズの屈折力が弱くなる。結果として、全ズーム領域で、球面収差の変動量が増大するため好ましくない。条件式（８）の下限を超えると、フォーカスレンズ群に含まれる正レンズの像側のレンズ面と、フォーカスレンズ群に含まれる負レンズの物体側のレンズ面により形成される空気レンズの屈折力が強くなる。結果として、広角端における球面収差や倍率色収差を十分に補正することが困難になるため、好ましくない。
【００５１】
条件式（９）の上限を超えると、フォーカスレンズ群の負の屈折力が弱くなる。結果として、全ズーム領域において、フォーカシングにおけるフォーカスレンズ群の移動量が増大し、レンズ全長が増大するため、好ましくない。条件式（９）の下限を超えると、フォーカスレンズ群の負の屈折力が強くなる。結果として、広角端におけるコマ収差や倍率色収差を十分に補正することが困難になるため、好ましくない。
【００５２】
また、好ましくは条件式（２）〜（９）の数値範囲を次の如く設定すると、各条件式がもたらす効果を最大限に得ることができる。
０．３０＜（Ｄｒｔ−Ｄｆｔ）／（Ｄｒｗ−Ｄｆｗ）＜６０．００ …（２ａ）
−３７．０＜（Ｒａ−Ｒｂ）／（Ｒａ＋Ｒｂ）＜８０．０         …（３ａ）
−０．２４＜（Ｒｃ−Ｒｄ）／（Ｒｃ＋Ｒｄ）＜１．９０         …（４ａ）
−１６．０＜ｆｎｐ／ｆｎｎ＜−３．０                         …（５ａ）
０．２０＜Ｄｆｔ／Ｄｒｔ＜１．５０                           …（６ａ）
０．２０＜Ｄｆｗ／Ｄｒｗ＜２．００                           …（７ａ）
０．５０＜ｆａｉｒ／ｆｎ＜１．５０                           …（８ａ）
−３．００＜ｆｐ／ｆｎ＜−０．８０                           …（９ａ）
【００５３】
また、更に好ましくは条件式（２）〜（９）の数値範囲を次の如く設定するのがよい。
０．４０＜（Ｄｒｔ−Ｄｆｔ）／（Ｄｒｗ−Ｄｆｗ）＜５０．００ …（２ｂ）
−２８．０＜（Ｒａ−Ｒｂ）／（Ｒａ＋Ｒｂ）＜６０．０         …（３ｂ）
−０．２０＜（Ｒｃ−Ｒｄ）／（Ｒｃ＋Ｒｄ）＜１．５０         …（４ｂ）
−１２．０＜ｆｎｐ／ｆｎｎ＜−３．３                         …（５ｂ）
０．２５＜Ｄｆｔ／Ｄｒｔ＜１．００                           …（６ｂ）
０．３０＜Ｄｆｗ／Ｄｒｗ＜１．５０                           …（７ｂ）
０．６０＜ｆａｉｒ／ｆｎ＜１．２０                           …（８ｂ）
−２．５０＜ｆｐ／ｆｎ＜−０．９０                           …（９ｂ）
【００５４】
次に各レンズ群の構成について説明する。実施例１乃至４、７、８は第１レンズ群Ｂ１が正の屈折力を有する、ポジティブリード型のズームレンズである。以下に、実施例１乃至４、７、８のズームレンズのレンズ構成について記載する。
【００５５】
各実施例において、第１レンズ群Ｂ１は、物体側より像側へ順に、負レンズ、正レンズから成る。これにより、高ズーム比のズームレンズにおいて発生しやすい球面収差や色収差を良好に補正している。
【００５６】
各実施例において、第２レンズ群Ｂ２は、物体側より像側へ順に、負レンズ、負レンズ、正レンズから成る。これにより、ズーミングに伴う収差変動を抑制し、特に望遠端における球面収差を良好に補正している。
【００５７】
実施例１乃至３、８において、第３レンズ群Ｂ３は、物体側より像側へ順に、正レンズ、正レンズと負レンズの接合レンズから成る。これにより、第２レンズ群Ｂ２と第３レンズ群Ｂ３の主点間隔を短くすることができ、結果として第３レンズ群から像側に配置されるレンズ要素の光軸上の厚みを小さくすることができる。実施例４、７において、第３レンズ群Ｂ３は、物体側より像側へ順に、正レンズ、正レンズと負レンズの接合レンズ、正レンズ、負レンズと正レンズの接合レンズから成る。これにより、第２レンズ群Ｂ２と第３レンズ群Ｂ３の主点間隔を短くすることができ、結果として第３レンズ群から像側に配置されるレンズ要素の厚みを小さくすることができる。
【００５８】
実施例１乃至３、８において、第４レンズ群Ｂ４は、物体側より像側へ順に、正レンズ、負レンズと正レンズの接合レンズから成る。これにより、ズーミングに伴う収差変動を良好に抑制することができる。実施例４において、第４レンズ群Ｂ４は、物体側より像側へ順に、正レンズ、負レンズから成る。実施例７において、第４レンズ群Ｂ４は、負レンズから成る。
【００５９】
実施例１乃至３、７において、第５レンズ群Ｂ５は、物体側より像側へ順に、正レンズ、負レンズから成る。これにより、フォーカシングにおける非点収差の変動方向と球面収差の変動方向をそろえることで、像面湾曲を良好に補正している。実施例４において、第５レンズ群Ｂ５は正レンズから成る。実施例８において、第５レンズ群Ｂ５は負レンズから成る。
【００６０】
実施例１乃至３、７において、第６レンズ群Ｂ６は、正レンズから成る。実施例８において、第６レンズ群Ｂ６は、物体側より像側へ順に、正レンズ、負レンズから成る。これにより、フォーカシングにおける非点収差の変動方向と球面収差の変動方向をそろえることで、像面湾曲を良好に補正している。実施例８において、第７レンズ群Ｂ７は、正レンズから成る。
【００６１】
次に、実施例５、６、９、１０のズームレンズのレンズ構成について記載する。実施例５、６、９、１０は第１レンズ群Ｂ１が負の屈折力を有する、ネガティブリード型のズームレンズである。
【００６２】
各実施例において、第１レンズ群Ｂ１は、物体側より像側へ順に、負レンズ、正レンズから成る。これにより、ズーミングに伴う収差変動を抑制し、特に望遠端における球面収差を良好に補正している。
【００６３】
実施例５、９において、第２レンズ群Ｂ２は、物体側より像側へ順に、正レンズ、正レンズと負レンズの接合レンズ、正レンズから成る。これにより、第２レンズ群Ｂ２と第３レンズ群Ｂ３の主点間隔を短くすることができ、結果として第３レンズ群から像側に配置されるレンズ要素の光軸上の厚みを小さくすることができる。実施例６、１０において、第２レンズ群Ｂ２は、物体側より像側へ順に、正レンズ、正レンズと負レンズの接合レンズから成る。これにより、第２レンズ群Ｂ２と第３レンズ群Ｂ３の主点間隔を短くすることができ、結果として第３レンズ群から像側に配置されるレンズ要素の光軸上の厚みを小さくすることができる。
【００６４】
実施例５において、第３レンズ群Ｂ３は、物体側より像側へ順に、正レンズ、負レンズから成る。これにより、フォーカシングにおける非点収差の変動方向と球面収差の変動方向をそろえることで、像面湾曲を良好に補正している。実施例６、１０において、第３レンズ群Ｂ３は、正レンズから成る。実施例９において、第３レンズ群Ｂ３は、負レンズから成る。
【００６５】
実施例５において、第４レンズ群Ｂ４は、正レンズから成る。実施例６、９において、第４レンズ群Ｂ４は、負レンズ、正レンズから成る。実施例１０において、第４レンズ群Ｂ４は、負レンズから成る。これにより、フォーカシングにおける非点収差の変動方向と球面収差の変動方向をそろえることで、像面湾曲を良好に補正している。
【００６６】
実施例６、９において、第５レンズ群Ｂ５は、正レンズから成る。実施例１０において、第５レンズ群Ｂ５は、物体側より像側へ順に、正レンズ、負レンズから成る。これにより、フォーカシングにおける非点収差の変動方向と球面収差の変動方向をそろえることで、像面湾曲を良好に補正している。実施例１０において、第６レンズ群Ｂ６は、正レンズから成る。
【００６７】
次に、本発明の実施例１〜１０にそれぞれ対応する数値実施例１〜１０を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００６８】
またｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００６９】
各実施例において、バックフォーカス（ＢＦ）は、レンズ系の最も像側の面から近軸像面までの距離を、空気換算長により表したものである。また、各数値実施例における上述した条件式との対応を表１に示す。
【００７０】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００７１】
［数値実施例１］
単位 mm
面データ
面番号       r        d      nd         νd
1         39.375    1.10   1.92286    18.9
2         30.570    4.75   1.77250    49.6
3        419.716  (可変)
4      -3459.433    0.75   1.91082    35.3
5         12.751    5.83
6        -29.264    0.62   1.71300    53.9
7         54.317    0.06
8         33.552    2.20   1.95906    17.5
9       -284.127  (可変)
10          ∞      -0.10
11*        18.415    3.40   1.76802    49.2
12*      -124.882    0.10
13         12.428    3.15   1.48749    70.2
14         22.451    0.55   2.00069    25.5
15         11.291    2.40
16(絞り)    ∞     (可変)
17*        19.993    2.10   1.69350    53.2
18*      -507.520    0.97
19        -25.423    0.65   1.80518    25.4
20       -464.695    3.05   1.48749    70.2
21        -14.615  (可変)
22         43.434    1.41   1.83400    37.2
23        157.511    1.80
24*       -20.545    0.70   1.85135    40.1
25*        69.392  (可変)
26         28.388    3.50   1.91082    35.3
27        200.000  (可変) 
28          ∞       1.55   1.51633    64.1
29          ∞       3.31
像面        ∞
非球面データ
第11面
K =-4.30172e-001  A 4=-1.25456e-005  A 6= 1.00698e-008
第12面
K = 0.00000e+000  A 4=-1.76812e-007  A 6= 2.50782e-008
第17面
K = 0.00000e+000  A 4= 1.62918e-005  A 6= 5.31542e-007  A 8= 8.39515e-009
第18面
K = 0.00000e+000  A 4= 5.86535e-005  A 6= 7.68295e-007  A 8= 1.04881e-008
第24面
K = 0.00000e+000  A 4= 1.99192e-005  A 6= 1.43693e-006  A 8=-1.54184e-008
第25面
K = 0.00000e+000  A 4= 2.94121e-005  A 6= 9.29156e-007  A 8=-1.08271e-008
各種データ
ズーム比      4.72
広角     中間     望遠
焦点距離      12.84    22.91    60.63
Fナンバー      2.06     3.50     4.02
半画角        35.53    24.55    10.51
像高           9.17    10.46    11.25
レンズ全長    81.50    83.48   100.14
BF             7.83    12.96    14.18
d 3            0.91     6.90    19.01
d 9           22.09    10.46     0.40
d16            2.59     2.83     1.30
d21            1.69     3.66    10.01
d25            4.61     4.90    13.46
d27            3.50     8.63     9.85
ズームレンズ群データ
群  始面    焦点距離
1    1      59.31
2    4     -12.78
3   11      26.95
4   17      26.60
5   22     -26.53
6   26      35.97
【００７２】
［数値実施例２］
単位 mm
面データ
面番号       r        d      nd         νd
1         40.487    1.10   1.92286    18.9
2         31.162    4.75   1.77250    49.6
3        605.034  (可変)
4       -471.950    0.75   1.91082    35.3
5         12.977    5.65
6        -29.035    0.62   1.71300    53.9
7         55.687    0.06
8         32.928    2.20   1.95906    17.5
9       -323.996  (可変)
10          ∞      -0.10
11*        17.819    3.40   1.76802    49.2
12*      -179.132    0.10
13         12.449    3.15   1.48749    70.2
14         23.216    0.55   2.00069    25.5
15         11.276    2.30
16(絞り)    ∞     (可変)
17*        16.452    2.10   1.69350    53.2
18*        76.944    1.15
19        -96.180    0.65   1.80518    25.4
20         42.072    0.00
21         42.072    3.05   1.48749    70.2
22        -21.340  (可変)
23         29.406    1.41   1.83400    37.2
24         37.777    1.51
25*       -36.295    0.70   1.85135    40.1
26*        34.775  (可変)
27         26.904    3.50   1.91082    35.3
28        200.000  (可変) 
29          ∞       1.55   1.51633    64.1
30          ∞       3.31
像面        ∞
非球面データ
第11面
K =-1.39476e-003  A 4=-1.91529e-005  A 6= 3.48565e-009
第12面
K = 0.00000e+000  A 4= 1.47762e-006  A 6= 4.30060e-008
第17面
K = 0.00000e+000  A 4= 1.01044e-005  A 6= 5.60591e-007  A 8= 8.60394e-009
第18面
K = 0.00000e+000  A 4= 5.86535e-005  A 6= 7.68295e-007  A 8= 1.04881e-008
第25面
K = 0.00000e+000  A 4=-1.08123e-004  A 6= 3.83708e-006  A 8=-3.59207e-008
第26面
K = 0.00000e+000  A 4=-7.39157e-005  A 6= 3.22046e-006  A 8=-2.90647e-008
各種データ
ズーム比      4.73
広角     中間     望遠
焦点距離      12.84    22.90    60.72
Fナンバー      2.06     3.50     4.02
半画角        35.53    24.55    10.50
像高           9.17    10.46    11.25
レンズ全長    81.50    83.31   100.81
BF             7.75    12.57    13.86
d 3            0.97     7.14    19.32
d 9           22.11    10.54     0.35
d16            3.27     3.19     2.76
d22            1.60     3.74    10.36
d26            4.49     4.80    12.85
d28            3.41     8.24     9.52
ズームレンズ群データ
群  始面    焦点距離
1    1      59.41
2    4     -12.77
3   11      27.73
4   17      25.73
5   23     -25.14
6   27      33.80
【００７３】
［数値実施例３］
単位 mm
面データ
面番号       r        d      nd         νd
1         40.577    1.10   1.92286    18.9
2         31.248    4.75   1.77250    49.6
3        642.126  (可変)
4       -466.931    0.75   1.91082    35.3
5         12.960    5.63
6        -28.665    0.62   1.71300    53.9
7         54.991    0.06
8         32.809    2.20   1.95906    17.5
9       -315.180  (可変)
10          ∞      -0.10
11*        17.983    3.40   1.76802    49.2
12*      -164.423    0.10
13         12.292    3.15   1.48749    70.2
14         22.844    0.55   2.00069    25.5
15         11.175    2.33
16(絞り)    ∞     (可変)
17*        16.604    2.10   1.69350    53.2
18*        79.954    1.13
19        -99.942    0.65   1.80518    25.4
20         40.772    3.05   1.48749    70.2
21        -21.479  (可変)
22         29.450    1.41   1.83400    37.2
23         37.396    1.50
24*       -36.655    0.70   1.85135    40.1
25*        33.862  (可変)
26         26.134    3.50   1.91082    35.3
27        200.000  (可変)
28          ∞       1.55   1.51633    64.1
29          ∞       3.31
像面        ∞
非球面データ
第11面
K = 4.22874e-002  A 4=-1.99671e-005  A 6= 3.17356e-009
第12面
K = 0.00000e+000  A 4= 1.74329e-006  A 6= 4.44206e-008
第17面
K = 0.00000e+000  A 4= 1.03942e-005  A 6= 5.74134e-007  A 8= 8.54783e-009
第18面
K = 0.00000e+000  A 4= 5.86535e-005  A 6= 7.68295e-007  A 8= 1.04881e-008
第24面
K = 0.00000e+000  A 4=-7.40108e-005  A 6= 3.06937e-006  A 8=-2.94235e-008
第25面
K = 0.00000e+000  A 4=-4.19278e-005  A 6= 2.51631e-006  A 8=-2.33088e-008
各種データ
ズーム比      4.73
広角     中間     望遠
焦点距離      12.84    22.90    60.72
Fナンバー      2.06     3.50     4.02
半画角        35.53    24.55    10.50
像高           9.17    10.46    11.25
レンズ全長    81.50    83.32   100.65
BF             7.91    12.59    13.47
d 3            0.96     7.12    19.30
d 9           21.97    10.44     0.36
d16            3.29     3.16     2.60
d21            1.60     3.94    11.00
d25            4.44     4.74    12.59
d27            3.57     8.25     9.13
ズームレンズ群データ
群  始面    焦点距離
1    1      59.30
2    4     -12.68
3   11      27.60
4   17      25.81
5   22     -24.70
6   26      32.69
【００７４】
［数値実施例４］
単位 mm
面データ
面番号       r        d      nd         νd
1         42.320    1.10   1.92286    18.9
2         32.965    4.75   1.77250    49.6
3       1746.895  (可変)
4       -309.821    0.75   1.91082    35.3
5         13.092    5.56
6        -28.883    0.62   1.71300    53.9
7         54.247    0.06
8         32.726    2.20   1.95906    17.5
9       -322.821  (可変)
10          ∞      -0.10
11*        17.792    3.40   1.76802    49.2
12*      -181.228    0.10
13         12.431    3.15   1.48749    70.2
14         23.617    0.55   2.00069    25.5
15         11.339    2.49
16(絞り)    ∞       3.30
17*        16.243    2.10   1.69350    53.2
18*        71.949    1.17
19        -94.182    0.65   1.80518    25.4
20         41.553    3.05   1.48749    70.2
21        -23.795  (可変)
22         25.815    1.41   1.83400    37.2
23         37.394    1.45
24*       -36.654    0.70   1.85135    40.1
25*        35.564  (可変)
26         27.719    3.50   1.91082    35.3
27        200.000  (可変)
28          ∞       1.55   1.51633    64.1
29          ∞       3.31
像面        ∞
非球面データ
第11面
K =-2.54811e-002  A 4=-1.70118e-005  A 6=-2.62266e-009
第12面
K = 0.00000e+000  A 4= 3.41180e-006  A 6= 2.88670e-008
第17面
K = 0.00000e+000  A 4= 1.48642e-005  A 6= 5.14772e-007  A 8= 9.39484e-009
第18面
K = 0.00000e+000  A 4= 5.86535e-005  A 6= 7.68295e-007  A 8= 1.04881e-008
第24面
K = 0.00000e+000  A 4=-2.51574e-005  A 6= 2.32352e-006  A 8=-2.44744e-008
第25面
K = 0.00000e+000  A 4= 4.08208e-006  A 6= 1.91808e-006  A 8=-1.97314e-008
各種データ
ズーム比      4.73
広角     中間     望遠
焦点距離      12.84    22.91    60.73
Fナンバー      2.06     3.50     4.02
半画角        35.53    24.55    10.50
像高           9.17    10.46    11.25
レンズ全長    81.50    84.36   104.44
BF             7.93    12.89    15.29
d 3            0.95     7.07    18.67
d 9           21.65    10.51     0.37
d21            1.60     3.70    11.27
d25            4.39     5.20    13.86
d27            3.59     8.55    10.95
ズームレンズ群データ
群  始面    焦点距離
1    1      59.22
2    4     -12.64
3   11      20.22
4   22     -28.72
5   26      34.99
【００７５】
［数値実施例５］
単位 mm
面データ
面番号       r        d      nd         νd
1*       -50.467    1.00   1.85135    40.1
2*        16.021    3.00
3*        51.134    2.14   2.00178    19.3
4       -350.000  (可変)
5          ∞      -0.10
6*        20.562    2.95   1.76238    35.9
7*       -92.582    0.50
8         17.542    3.52   1.59141    61.0
9       -224.839    0.50   1.87229    22.1
10         16.071    1.77
11(絞り)    ∞       8.50
12         27.679    3.36   1.59380    60.9
13*       -39.756  (可変)
14         38.187    2.00   1.54553    64.4
15          ∞       2.16
16*       -13.723    0.70   1.85135    40.1
17*       293.381  (可変)
18         68.682    4.00   1.83902    38.4
19        -51.872  (可変)
20          ∞       1.55   1.51633    64.1
21          ∞       3.31
像面        ∞
非球面データ
第1面
K = 0.00000e+000  A 4= 1.13733e-005  A 6=-6.65008e-008  A 8= 1.25579e-010
第2面
K = 0.00000e+000  A 4=-2.26305e-005  A 6= 2.41249e-008  A 8=-6.97200e-010
第3面
K = 0.00000e+000  A 4= 4.36681e-006  A 6= 8.25510e-008  A 8=-7.00216e-011
第6面
K =-1.07279e+000  A 4= 5.86527e-006  A 6=-5.25221e-008
第7面
K = 0.00000e+000  A 4= 8.68413e-006  A 6=-5.85609e-008
第13面
K = 0.00000e+000  A 6= 6.81143e-008  A 8= 3.19707e-010
第16面
K = 0.00000e+000  A 4= 3.33715e-005  A 6= 1.29365e-006  A 8=-1.38160e-008
第17面
K = 0.00000e+000  A 4= 3.33381e-005  A 6= 7.31822e-007  A 8=-1.02029e-008
各種データ
ズーム比      3.77
広角     中間     望遠
焦点距離      12.88    23.10    48.60
Fナンバー      2.80     3.50     5.00
半画角        35.45    24.37    13.03
像高           9.17    10.46    11.25
レンズ全長    77.57    69.53    76.70
BF             5.14     8.35     9.51
d 4           29.77    12.51     0.41
d13            3.42     5.61    12.54
d17            2.71     6.53    17.71
d19            0.80     4.01     5.17
ズームレンズ群データ
群  始面    焦点距離
1    1     -23.29
2    6      21.19
3   14     -21.05
4   18      35.76
【００７６】
［数値実施例６］
単位 mm
面データ
面番号       r        d      nd         νd
1*       -35.464    1.00   1.85135    40.1
2*        17.397    3.00
3*        48.733    2.13   2.00178    19.3
4       -403.311  (可変)
5*        19.334    3.28   1.78123    45.0
6*       -71.269    0.50
7         17.130    2.98   1.61200    59.8
8       -144.982    0.50   1.86117    25.8
9         15.626    2.83
10(絞り)    ∞     (可変)
11         27.447    2.78   1.52320    66.3
12*       -35.306  (可変)
13         34.124    2.00   1.48749    70.2
14          ∞       1.59
15*       -15.350    0.70   1.85135    40.1
16*        66.921  (可変)
17         65.899    4.00   1.58397    34.9
18        -37.500  (可変)
19          ∞       1.55   1.51633    64.1
20          ∞       3.28
像面        ∞
非球面データ
第1面
K = 0.00000e+000  A 4= 4.07185e-005  A 6=-1.60079e-007  A 8= 2.67875e-010
第2面
K = 0.00000e+000  A 4=-6.93744e-006  A 6= 1.82028e-007  A 8=-1.00570e-009
第3面
K = 0.00000e+000  A 4=-7.52104e-006  A 6= 1.55183e-007  A 8=-9.81019e-011
第5面
K =-1.01282e+000  A 4= 3.63605e-006  A 6= 8.60236e-009
第6面
K = 0.00000e+000  A 4= 8.93917e-006  A 6= 1.56591e-010
第12面
K = 0.00000e+000  A 6= 9.71655e-008  A 8= 1.92771e-009
第15面
K = 0.00000e+000  A 4=-4.69887e-005  A 6= 2.05466e-006  A 8=-2.80158e-008
第16面
K = 0.00000e+000  A 4=-1.88640e-005  A 6= 1.53224e-006  A 8=-2.15089e-008
各種データ
ズーム比      3.76
広角     中間     望遠
焦点距離      12.84    22.87    48.27
Fナンバー      2.80     3.50     5.00
半画角        35.54    24.58    13.12
像高           9.17    10.46    11.25
レンズ全長    74.36    66.00    71.01
BF             5.10    10.15    14.27
d 4           29.17    12.50     0.31
d10            6.51     5.29     2.98
d12            1.60     3.38     9.81
d16            2.88     5.58    14.53
d18            0.80     5.85     9.97
ズームレンズ群データ
群  始面    焦点距離
1    1     -22.21
2    5      24.12
3   11      29.97
4   13     -19.52
5   17      41.52
【００７７】
［数値実施例７］
単位 mm
面データ
面番号       r        d      nd         νd
1         42.265    1.10   1.92286    18.9
2         32.527    4.53   1.77250    49.6
3        700.098  (可変)
4       -330.966    0.75   1.91082    35.3
5         13.514    5.69
6        -31.424    0.62   1.71300    53.9
7         52.718    0.06
8         34.567    2.20   1.95906    17.5
9       -371.970  (可変)
10*        21.676    3.40   1.76802    49.2
11*      -111.562    0.10
12         10.873    3.15   1.48749    70.2
13         19.208    0.55   2.00069    25.5
14         10.897    3.00
15          ∞       2.81
16(絞り)    ∞       2.17
17*        16.483    2.10   1.65666    57.5
18*        97.576    0.68
19        113.427    0.65   1.78729    26.8
20         31.310    3.05   1.48749    70.2
21        -24.381  (可変)
22       -101.118    0.50   1.68775    25.2
23         77.987  (可変)
24        146.046    1.41   1.98371    21.5
25        373.111    1.24
26*       -17.767    0.70   1.85135    40.1
27*      -256.907  (可変)
28         26.700    4.00   1.91082    35.3
29        200.000  (可変)
30          ∞       1.55   1.51633    64.1
31          ∞       3.31
像面        ∞
非球面データ
第11面
K = 6.44838e-001  A 4=-2.81595e-005  A 6= 1.23110e-008
第12面
K = 0.00000e+000  A 4=-3.39988e-006  A 6= 6.59141e-008
第17面
K = 0.00000e+000  A 4= 1.27131e-005  A 6= 5.30143e-007  A 8= 9.22300e-009
第18面
K = 0.00000e+000  A 4= 5.86535e-005  A 6= 7.68295e-007  A 8= 1.04881e-008
第26面
K = 0.00000e+000  A 4= 5.70292e-005  A 6= 9.78757e-007  A 8=-1.90373e-008
第27面
K = 0.00000e+000  A 4= 8.85609e-005  A 6= 2.76031e-007  A 8=-9.78185e-009
各種データ
ズーム比      4.73
広角     中間     望遠
焦点距離      12.84    22.93    60.74
Fナンバー      2.06     3.50     4.02
半画角        35.53    24.53    10.49
像高           9.17    10.46    11.25
レンズ全長    81.50    83.38   100.93
BF             5.81    10.43    12.88
d 3            1.04     7.02    18.92
d 9           22.56    10.96     0.35
d21            1.00     2.46     3.97
d23            1.60     1.22     5.48
d27            4.62     6.40    14.44
d29            1.47     6.09     8.55
ズームレンズ群データ
群  始面    焦点距離
1    1      61.62
2    4     -12.92
3   11      18.18
4   22     -63.95
5   24     -25.00
6   28      33.46
【００７８】
［数値実施例８］
単位 mm
面データ
面番号       r        d      nd         νd
1         42.934    1.10   1.92286    18.9
2         32.950    4.75   1.77250    49.6
3        580.069  (可変)
4       -513.829    0.75   1.91082    35.3
5         13.265    5.83
6        -29.292    0.62   1.71300    53.9
7         64.060    0.06
8         38.538    2.20   1.95906    17.5
9       -161.691  (可変)
10          ∞      -0.10
11*        19.565    3.40   1.76802    49.2
12*      -158.134    0.10
13         11.551    3.15   1.48749    70.2
14         19.661    0.55   2.00069    25.5
15         10.935    5.29
16(絞り)    ∞     (可変)
17*        16.975    2.10   1.69350    53.2
18*       137.850    0.89
19       -172.312    0.65   1.81650    24.2
20         45.566    3.05   1.48749    70.2
21        -17.026  (可変)
22        -23.910    0.50   1.65503    31.0
23        -60.232  (可変)
24        145.122    1.41   1.97421    19.8
25        518.995    1.13
26*       -24.712    0.70   1.85135    40.1
27*        75.920  (可変)
28         26.187    3.50   1.91082    35.3
29        200.000  (可変)
30          ∞       1.55   1.51633    64.1
31          ∞       3.31
像面        ∞
非球面データ
第11面
K = 3.73281e-001  A 4=-2.87469e-005  A 6=-1.43879e-009
第12面
K = 0.00000e+000  A 4=-7.10544e-006  A 6= 7.21597e-008
第17面
K = 0.00000e+000  A 4= 5.01704e-006  A 6= 5.36124e-007  A 8= 9.06625e-009
第18面
K = 0.00000e+000  A 4= 5.86535e-005  A 6= 7.68295e-007  A 8= 1.04881e-008
第26面
K = 0.00000e+000  A 4= 2.29362e-005  A 6= 1.01746e-006  A 8=-1.39431e-008
第27面
K = 0.00000e+000  A 4= 5.25145e-005  A 6= 5.24511e-007  A 8=-8.63217e-009
各種データ
ズーム比      4.73
広角     中間     望遠
焦点距離      12.84    22.90    60.72
Fナンバー      2.06     3.50     4.00
半画角        35.53    24.55    10.50
像高           9.17    10.46    11.25
レンズ全長    81.50    82.98   100.71
BF             6.77    11.65    12.55
d 3            0.97     7.15    20.08
d 9           22.70    10.60     0.37
d16            1.79     2.24     1.49
d21            1.00     1.54     4.01
d23            1.60     3.01     4.89
d27            4.51     4.62    15.16
d29            2.43     7.31     8.21
ズームレンズ群データ
群  始面    焦点距離
1    1      63.56
2    4     -13.24
3   11      27.48
4   17      20.14
5   22     -60.86
6   24     -24.71
7   28      32.77
【００７９】
［数値実施例９］
単位 mm
面データ
面番号       r        d      nd         νd
1*       -48.464    1.00   1.85135    40.1
2*        15.692    3.00
3*        50.083    2.14   2.00178    19.3
4       -350.000  (可変)
5          ∞      -0.10
6*        19.235    3.03   1.76002    35.7
7*      -120.502    0.50
8         16.639    3.12   1.58868    61.2
9       -436.095    0.50   1.87366    23.6
10         14.869    2.35
11(絞り)    ∞       7.58
12         26.441    3.70   1.60731    60.1
13*       -29.864  (可変)
14        -19.155    1.00   1.69430    30.2
15        -30.867  (可変)
16         37.080    1.78   1.58698    61.3
17        373.330    1.90
18*       -17.777    0.70   1.85135    40.1
19*       131.738  (可変)
20         56.907    4.00   1.87803    35.3
21        -65.228  (可変)
22          ∞       1.55   1.51633    64.1
23          ∞       2.32
像面        ∞
非球面データ
第1面
K = 0.00000e+000  A 4= 1.69508e-005  A 6=-8.67214e-008  A 8= 1.54993e-010
第2面
K = 0.00000e+000  A 4=-1.86267e-005  A 6= 9.27956e-009  A 8=-8.21305e-010
第3面
K = 0.00000e+000  A 4= 4.63009e-006  A 6= 7.80328e-008  A 8=-4.81936e-011
第6面
K =-9.57758e-001  A 4= 7.20168e-006  A 6=-3.33350e-008
第7面
K = 0.00000e+000  A 4= 8.57196e-006  A 6=-4.53608e-008
第13面
K = 0.00000e+000  A 6= 4.26293e-008  A 8= 3.59218e-010
第18面
K = 0.00000e+000  A 4=-2.85668e-006  A 6= 1.21173e-006  A 8=-1.00968e-008
第19面
K = 0.00000e+000  A 4= 9.91742e-006  A 6= 8.92744e-007  A 8=-8.10319e-009
各種データ
ズーム比      3.76
広角     中間     望遠
焦点距離      12.88    22.96    48.46
Fナンバー      2.80     3.50     5.00
半画角        35.45    24.50    13.07
像高           9.17    10.46    11.25
レンズ全長    79.20    69.98    80.16
BF             5.14    10.30    11.72
d 4           29.95    11.47     0.39
d13            2.14     2.60     5.12
d15            2.57     5.60    10.68
d19            2.68     3.27    15.52
d21            1.80     6.96     8.38
ズームレンズ群データ
群  始面    焦点距離
1    1     -22.65
2    6      20.35
3   14     -75.34
4   16     -26.52
5   20      35.15
【００８０】
［数値実施例１０］
単位 mm
面データ
面番号       r        d      nd         νd
1*       -38.276    1.00   1.85135    40.1
2*        16.381    3.00
3*        48.915    2.13   2.00178    19.3
4       -350.000  (可変)
5          ∞      -0.10
6*        21.227    3.16   1.76773    42.1
7*       -78.169    0.50
8         15.085    3.05   1.59895    60.6
9        255.766    0.50   1.86464    25.2
10         14.543    4.83
11(絞り)    ∞     (可変)
12         26.392    3.10   1.61004    58.5
13*       -26.476  (可変)
14        -18.482    1.00   1.84792    31.1
15        -42.460  (可変)
16         32.191    1.78   1.48749    70.2
17        557.900    1.36
18*       -26.567    0.70   1.85135    40.1
19*        43.595  (可変)
20         58.781    4.00   1.92850    32.3
21        -60.350  (可変)
22          ∞       1.55   1.51633    64.1
23          ∞       3.31
像面        ∞
非球面データ
第1面
K = 0.00000e+000  A 4= 4.00823e-005  A 6=-1.57006e-007  A 8= 2.26494e-010
第2面
K = 0.00000e+000  A 4=-1.03596e-005  A 6= 2.20297e-007  A 8=-1.61008e-009
第3面
K = 0.00000e+000  A 4=-5.52506e-006  A 6= 1.62466e-007  A 8=-2.01311e-010  
第6面
K =-1.09851e+000  A 4= 1.73912e-006  A 6= 2.45034e-008
第7面
K = 0.00000e+000  A 4= 4.19774e-006  A 6= 2.73507e-008
第13面
K = 0.00000e+000  A 6= 5.73630e-008  A 8= 9.30443e-010
第18面
K = 0.00000e+000  A 4=-5.29800e-005  A 6= 1.42281e-006  A 8=-1.73106e-008
第19面
K = 0.00000e+000  A 4=-1.26377e-005  A 6= 1.14150e-006  A 8=-1.34628e-008
各種データ
ズーム比      3.78
広角     中間     望遠
焦点距離      12.87    22.92    48.65
Fナンバー      2.80     3.50     5.00
半画角        35.47    24.54    13.02
像高           9.17    10.46    11.25
レンズ全長    77.15    67.47    75.21
BF             5.14    10.82    12.41
d 4           29.10    11.05     0.23
d11            5.86     4.51     2.38
d13            1.92     2.75     5.07
d15            1.60     4.12    10.27
d19            2.99     3.67    14.30
d21            0.80     6.49     8.07
ズームレンズ群データ
群  始面    焦点距離
1    1     -21.82
2    6      25.86
3   12      22.16
4   14     -39.35
5   16     -28.19
6   20      32.60
【００８１】
【表１−１】
2015145914.tif 000003
【００８２】
【表１−２】
2015145914.tif 000004
【００８３】
次に各実施例に示したようなズームレンズを撮影光学系として用いたデジタルスチルカメラの実施形態について、図２１を用いて説明する。
【００８４】
図２１において、１０はカメラ本体、１１は実施例１〜１０で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。１３は固体撮像素子１２によって光電変換された被写体像に対応する情報を記録するメモリである。１４は液晶ディスプレイパネル等によって構成され、固体撮像素子１２上に形成された被写体像を観察するためのファインダである。
【００８５】
このように本発明のズームレンズをデジタルスチルカメラ等の撮像装置に適用することにより、小型かつ高解像力で、全ズーム領域において高い光学性能を有する撮像装置を得ることができる。
【符号の説明】
【００８６】
Ｂ１  第１レンズ群
Ｂ２  第２レンズ群
Ｂ３  第３レンズ群
Ｂ４  第４レンズ群
Ｂ５  第５レンズ群
Ｂ６  第６レンズ群
Ｂ７  第７レンズ群
ＳＰ  開口絞り
ＧＢ  光学フィルター
ＩＰ  像面
ｄ  ｄ線
ｇ  ｇ線
ΔＳ  サジタル像面
ΔＭ  メリディオナル像面
ω  撮像半画角
Ｆｎｏ  Ｆナンバー
【図１】
2015145914.tif 000005
【図２】
2015145914.tif 000006
【図３】
2015145914.tif 000007
【図４】
2015145914.tif 000008
【図５】
2015145914.tif 000009
【図６】
2015145914.tif 000010
【図７】
2015145914.tif 000011
【図８】
2015145914.tif 000012
【図９】
2015145914.tif 000013
【図１０】
2015145914.tif 000014
【図１１】
2015145914.tif 000015
【図１２】
2015145914.tif 000016
【図１３】
2015145914.tif 000017
【図１４】
2015145914.tif 000018
【図１５】
2015145914.tif 000019
【図１６】
2015145914.tif 000020
【図１７】
2015145914.tif 000021
【図１８】
2015145914.tif 000022
【図１９】
2015145914.tif 000023
【図２０】
2015145914.tif 000024
【図２１】
2015145914.tif 000025